(57)【要約】【課題】複数の装置が接続された状態で、他のユーザによる操作が他の装置を利用しているユーザの処理に影響を与える場合には、特に何も考慮されておらず、別のユーザにより何の予告もなしに操作が解除されてしまうなどの問題が生じる恐れがあった。【解決手段】本発明では、複数の装置が接続された状態においても、予め決められた処理に対する優先順位に従い、ユーザ操作の実行可否を判断できると共に、それに応じた適切な操作の確認処理が行えるので、装置を取り扱うユーザにとっても状況を簡単に把握することができる。【選択図】　　　図１
2004054979.tif 000002
【特許請求の範囲】
【請求項１】
複数利用者で操作可能な情報処理装置であって、
装置での特定機能の動作に応じた操作指示を行う入力手段と、
前記入力手段による操作指示を受けた場合に、該操作指示を行った利用者と他の利用者との該操作内容に対する優先順位を示す情報を参照して、前記操作指示を行った利用者に対応した確認用メッセージを表示する表示手段と
を具備することを特徴とした情報処理装置。
【請求項２】
前記特定の操作指示内容について複数利用者間の優先順位を予め記憶した記憶手段と、をさらに具備し、
前記表示手段は、前記入力手段による操作指示を受けた場合に、前記記憶手段を参照して、該操作指示を行った利用者の優先順位と前記操作指示の元になる機能動作を実行した利用者の優先順位に基づき、前記操作指示を行った利用者に対応した確認用メッセージを表示する
ことを特徴とした請求項１記載の情報処理装置。
【請求項３】
被制御対象となる装置と、この装置を利用する情報処理装置がネットワーク接続された情報処理システムであって、
前記被制御対象となる装置に対する特定機能の動作に応じた操作指示を行う入力手段と、
前記特定の操作指示内容について複数利用者間の優先順位を予め記憶した記憶手段と、
前記入力手段による操作指示を受けた場合に、前記記憶手段を参照して、該操作指示を行った利用者の優先順位と前記操作指示の元になる機能の動作を実行した利用者の優先順位に基づき、前記操作指示を行った利用者に対応した確認用メッセージを表示する表示手段と
を具備することを特徴とした情報処理システム。
【請求項４】
映像データを記録再生する手段を有した記録再生装置であって、
これら記録再生装置をネットワーク接続して映像データ及び制御データの送受信を行う送受信手段と、
前記記録再生装置上で複数利用者のうち特定の利用者が設定した録画予約による録画処理を停止するための操作指示を行う入力手段と、
前記録画予約の録画処理を停止するための操作指示に対する複数利用者間の優先順位を予め記憶した記憶手段と、
前記入力手段による録画処理の停止操作指示を受けた場合に、前記記憶手段を参照して、該録画処理の停止操作指示を行った利用者の優先順位と前記録画予約を設定した利用者の優先順位に基づき、前記停止操作指示を行った利用者に対応した確認用メッセージを表示する表示手段と
を具備することを特徴とした記録再生装置。
【請求項５】
前記表示手段は、更に前記録画予約を設定した利用者の優先順位よりも低い利用者による録画処理の停止指示であった場合には録画停止が行えない旨のメッセージを表示し、前記録画予約を設定した利用者の優先順位よりも高い利用者による録画処理の停止指示であった場合には録画停止確認用メッセージを表示するようにしたことを特徴とした請求項４記載の記録再生装置。
【請求項６】
前記表示手段は、更に前記録画予約を設定した利用者の優先順位よりも高い利用者による録画処理の停止指示による録画停止確認用メッセージを表示した後、予め決められた所定時間が経過しても停止確認指示が無い場合には、録画停止確認メッセージの表示を解除することを特徴とした請求項５記載の記録再生装置。
【請求項７】
複数利用者で操作可能な情報処理装置における操作確認方法であって、
前記装置での特定機能の動作に応じた操作指示の有無を確認し、
該操作指示を受けたと判断した場合には、前記操作指示を行った利用者と他の利用者との前記操作内容に対する優先順位を示す情報を参照して、前記操作指示を行った利用者に対応した確認用メッセージを表示する
ことを特徴とした情報処理装置における操作確認方法。
【請求項８】
前記確認用メッセージを表示する際に、該操作指示を行った利用者の優先順位と前記操作指示の元になる機能動作を実行した利用者の優先順位の対応関係を参照するようにしたことを特徴とする請求項７記載の情報処理装置における操作確認方法。
【請求項９】
被制御対象となる装置と、この装置を利用する情報処理装置がネットワーク接続された情報処理システムにおける操作確認方法であって、
前記被制御対象となる装置での特定機能の動作に応じた操作指示の有無を確認し、
該操作指示を受けたと判断した場合には、前記操作指示を行った利用者と他の利用者との前記操作内容に対する優先順位を示す情報を参照して、前記操作指示を行った利用者に対応した確認用メッセージを表示する
ことを特徴とした情報処理システムにおける操作確認方法。
【請求項１０】
映像データを記録再生する手段及び映像データ及び制御データの送受信を行う送受信手段とを有した記録再生装置における操作確認方法であって、
前記記録再生装置上で特定の利用者が設定した録画予約による録画処理を停止するための操作指示の有無を確認し、
前記録画処理の停止指示を受けた場合に、前記録画処理の停止操作指示を行った利用者の優先順位と前記録画予約を設定した利用者の優先順位を示す情報を参照して、前記停止操作指示を行った利用者に対応した確認用メッセージを表示する
ことを特徴とした録画再生装置における操作確認方法。
【請求項１１】
前記確認用メッセージを表示する際に、更に前記録画予約を設定した利用者の優先順位よりも低い利用者による録画処理の停止指示であった場合には録画停止が行えない旨のメッセージを表示し、前記録画予約を設定した利用者の優先順位よりも高い利用者による録画処理の停止指示であった場合には録画停止確認用メッセージを表示するようにしたことを特徴とした請求項１０記載の記録再生装置における操作確認方法。
【請求項１２】
前記確認用メッセージを表示する際に、更に前記録画予約を設定した利用者の優先順位よりも高い利用者による録画処理の停止指示による録画停止確認用メッセージを表示した後、予め決められた所定時間が経過しても停止確認指示が無い場合には、録画停止確認メッセージの表示を解除することを特徴とした請求項１１記載の記録再生装置における操作確認方法。
【発明の詳細な説明】
【０００１】
【発明の属する技術分野】
本発明は、録画・再生に係る操作の確認機能を備えた記録再生装置に関する。
【０００２】
【従来の技術】
映像データを記録再生する装置として、ビデオカセットや光磁気ディスクの可搬型記録媒体に映像データを記録するタイプや、装置内の大容量磁気ディスク装置に映像データを記録するタイプがある。また、両タイプを併せた複合タイプも存在する。
【０００３】
これまでは、前記記録再生装置をスタンドアロンで利用するシーンがほとんどであった。しかしながら最近では、ベースとなる記録再生装置とパーソナルコンピュータ等の情報処理装置に通信ネットワーク（有線又は無線）に接続し、記録再生装置に記録した映像データを情報処理装置で再生するシーンや、情報処理装置に前記記録再生装置を搭載し、ソフトウェアで記録再生の制御を行い、これら情報処理装置間を通信回線で接続し、映像データを互いに交換するシーンなど、新たな利用形態も見出されてきた。
【０００４】
記録再生装置は、放送局から送信される映像データを受信して、指定時刻に記録する録画機能を備えている。例えば、この機能を利用して録画操作を行った場合、スタンドアロンタイプの記録再生装置では、複数の利用者が操作を行えるので、他人が操作して録画が行われているのを誤って再生しているものと勘違いし、停止操作を行ってしまうことが生じることがあった。
【０００５】
このような利用者による誤操作を防止する方法として、特開平５−１２８６３１号公報に記載された技術がある。該公報には、録画モード中に録画を停止する「ＳＴＯＰ」キーを押下した場合、録画を中止しても良いかを利用者に問い合わせる確認情報を記録再生装置本体の表示部若しくは表示装置に表示する内容が開示されている。さらに、録画モードから「ＰＡＵＳＥ」（一時停止）キーを押下して録画モードを一時停止状態にしてから一定時間後に、録画を一時停止しておいても良いかを示す確認情報を前記と同様に表示する内容も開示されている。
【０００６】
【発明が解決しようとする課題】
しかしながら、上述したように新しい利用形態として、録画再生装置を通信ネットワークに接続して、複数の利用者で共有すると言った状況下では、前記誤操作に対する防止策では、完全に問題を解決するに至らなくなっていた。
【０００７】
そこで、本発明では、通信ネットワークを利用した録画再生装置における誤操作を防止するための装置及び方法を提供することを目的とする。
【０００８】
【課題を解決するための手段】
本発明における情報処理装置は、複数利用者で操作可能な情報処理装置であって、装置での特定機能の動作に応じた操作指示を行う入力手段と、前記入力手段による操作指示を受けた場合に、該操作指示を行った利用者と他の利用者との該操作内容に対する優先順位を示す情報を参照して、前記操作指示を行った利用者に対応した確認用メッセージを表示する表示手段とを具備することを特徴とする。
【０００９】
このような構成とすることにより、操作指示をした利用者に対して、状況に応じた適切な確認用メッセージを表示することができる。
また、本発明における情報処理システムは、被制御対象となる装置と、この装置を利用する情報処理装置がネットワーク接続された情報処理システムであって、前記被制御対象となる装置に対する特定機能の動作に応じた操作指示を行う入力手段と、前記特定の操作指示内容について複数利用者間の優先順位を予め記憶した記憶手段と、前記入力手段による操作指示を受けた場合に、前記記憶手段を参照して、該操作指示を行った利用者の優先順位と前記操作指示の元になる機能の動作を実行した利用者の優先順位に基づき、前記操作指示を行った利用者に対応した確認用メッセージを表示する表示手段とを具備することを特徴とする。
【００１０】
前記と同様に操作指示をした利用者に対して、ネットワーク接続した状態でも、操作状況に応じた適切な確認用メッセージを表示することができる。
さらに、本発明における記録再生装置は、映像データを記録再生する手段を有した記録再生装置であって、これら記録再生装置をネットワーク接続して映像データ及び制御データの送受信を行う送受信手段と、前記記録再生装置上で複数利用者のうち特定の利用者が設定した録画予約による録画処理を停止するための操作指示を行う入力手段と、前記録画予約の録画処理を停止するための操作指示に対する複数利用者間の優先順位を予め記憶した記憶手段と、前記入力手段による録画処理の停止操作指示を受けた場合に、前記記憶手段を参照して、該録画処理の停止操作指示を行った利用者の優先順位と前記録画予約を設定した利用者の優先順位に基づき、前記停止操作指示を行った利用者に対応した確認用メッセージを表示する表示手段とを具備することを特徴とする。
【００１１】
このような構成を取ることにより、他の利用者が実行した録画予約による録画動作を停止する場合には、その停止の操作指示を出した利用者に状況に応じた適切な確認用メッセージを表示することができる。
【００１２】
【発明の実施の形態】
以下、図面を参照して本発明の実施形態を説明する。
図１は、記録再生装置をネットワーク接続した例を示す図である。オーディオビジュアル（ＡＶ）ステーション１００には、大容量の磁気記録装置を有している。このＡＶステーション１００には、アンテナ１０１及びモニタ１０２が接続され、アンテナ１０１で受信した映像データを前記磁気記録装置に記録したり、受信した映像データをモニタ１０２に表示することが可能である。また、前記磁気記録装置に記録した映像データを再生し、モニタ１０２に表示することも可能である。さらに、ＡＶステーション１００には、無線通信機能を有しており、同じく無線通信機能を備えたパーソナルコンピュータ等の情報処理装置２００と無線接続している。ここでは、無線通信ネットワークを形成してＡＶステーション１００と情報処理装置２００が接続した形態を例示しているが、有線でネットワークを形成したり、無線と有線が混在した形態でもよい。
【００１３】
図１に示した形態では、ＡＶステーション１００で受信した映像データを無線通信ネットワークを介して、情報処理装置２００で視聴したり、ＡＶステーション１００の磁気記録装置に記録した映像データを再生し、この再生した映像データを情報処理装置で見ることもできる。情報処理装置２００は、ＡＶステーション制御プログラムによって、ＡＶステーション１００を利用しての視聴、録画、再生の制御を行っている。
【００１４】
図２は、ＡＶステーション１００の詳細構成を示す図である。録画・再生制御部１０は、ＡＶステーション１００全体の制御を行うものである。以下に示す各構成が接続されている。チューナー１１は、ＡＶステーション１００の外部に存在するアンテナ１０１で受信した映像データを受信するものである。データ記憶部１２は、各種データを記憶するものである。本実施形態では、映像データは磁気記録装置として確保された記憶領域に映像データ記憶エリア１２１に記憶される。さらに、録画予約のためのチャネル情報や録画開始終了時間情報からなる録画予約データを記憶する録画予約データ記憶エリア１２２、ＡＶステーション１００を中心とした複数利用者の優先順位を示すユーザ管理データを記憶するユーザ管理データ記憶エリア１２３、ＡＶステーション１００や情報処理装置２００の表示装置（モニタ）に表示する各種メッセージを記憶する表示メッセージデータ記憶エリアがメモリに用意されている。
【００１５】
出力端子１３は、受信若しくは記憶した映像データをモニタ１０２に出力するものである。タイマー１４は、予約録画の制御等に用いられる時計である。リモコン制御部１５は、赤外線受光部を有しリモコン１０３から送信されてくる映像データ受信のためのチャネル切り替えや、録画された映像データを再生制御したり、予約録画のための各種操作を行うための各種キー操作情報を受信し、録画再生制御部１０へ送るためのものである。データ送受信部１６は、情報処理装置２００との間で無線ネットワークを形成し、映像データや、各種制御データ等の送受信を行うためのものである。ここで用いられる無線通信方式としては、映像データの送受信を行うので比較的大きな伝送速度である例えば、２．４ＧＨｚ帯を利用したＩＥＥＥ１８２．１１ｂ（１１Ｍｂｐｓ）や、５．２ＧＨｚ帯を利用したＩＥＥＥ１８２．１１ａ（５４Ｍｂｐｓ）を用いる。ただし、無線通信方式は、これに限定されるものではなく他の方法を用いても良く、また、無線に限らず有線からなるネットワークを構成するようにしても良い。
【００１６】
図３は、情報処理装置２００の詳細構成を示す図である。制御部２０は、情報処理装置２００全体を制御するものである。情報処理装置２００は、パーソナルコンピュータであり、各種機能構成を持つが、ここでは本発明に関係のある構成を抜き出して説明するものとする。データ送受信部２１は、前記データ送受信部１６と同様な機能を有する。また、データ記憶部２２は、前記データ記憶部１２とほぼ同様な構成としている。表示部２３は、各種データを表示するためのもので、ＬＣＤやＣＲＴ等の表示装置で構成される。入力部２４は、予約録画や再生など操作指示を行うものであり、キーボードや外部入力用のリモコンで構成しても良い。
【００１７】
続いて、本発明の特徴であるＡＶステーション（記録再生装置）における操作確認方法について、図４乃至図７の図面を用いて説明する。図４は、録画予約を解除（停止）指示の概念を説明するための図である。図４（ａ）では、ユーザＡがＡＶステーション１００に対してリモコン１０３を用いて予約録画の操作を行い、その後、録画処理が開始され、情報処理装置２００ａを使用しているユーザＢにより録画停止指示の操作が行われた例を示すものである。また、図４（ｂ）では、ユーザＡがＡＶステーション１００に対してリモコン１０３を用いて予約録画の操作を行い、その後、録画処理が開始され、情報処理装置２００ｂを使用しているユーザＣにより録画停止指示の操作が行われた例を示すものである。
【００１８】
図５は、ＡＶステーションにアクセス可能なユーザ間での優先順位を示す図である。この図によれば、優先度の最も高いのはユーザＢであり、それに続きユーザＡ、ユーザＣの順で優先順位が決められている。これら、複数ユーザ間で優先度を決める方法としては、例えば、家庭内で使用する場面を想定すると、事前にユーザ名とその優先順位を何らかの方法で登録しておき、録画予約したユーザ名とこれらシステムにアクセス際にユーザ名を入力することで、ユーザ間の優先順位を決定するようにしてもよい。
【００１９】
図６は、機器使用中の操作状況に応じて表示されるメッセージの例を示す図である。さらに図７は、予約録画中の停止指示操作に対する制御フローを示す図である。
まず、図７の制御フローについて説明する。図７のフローはＡＶステーション１００における予約録画に関する処理制御フローを示しているが、他の情報処理装置についても実際の録画動作を除く録画時のメッセージ表示処理や停止指示の際の動作及びメッセージ表示処理は共通し重複する部分が多いので、便宜的に同じフローを用いて説明する。録画予約データ記憶エリアに記憶された録画予約データに基づき、録画時刻になったかをタイマー１４を参照しながら定期的に確認する（ステップＳ１０１）。録画開始時刻になったと判断した場合には、録画を開始し映像データをデータ記憶部１２の映像データ記憶エリアに記録する（ステップＳ１０２）。続いて、録画中である旨を示すメッセージＡをモニタ１０２に表示する（ステップＳ１０３）。情報処理装置２００では、ＡＶステーション１００の録画状況を確認し、録画が開始されていた場合にはステップＳ１０３と同様なメッセージＡの表示を行う。
【００２０】
続いて、録画処理の停止指示の確認を行う（ステップＳ１０４）。ユーザからの指示が録画停止指示であるかを判断する（ステップＳ１０５）。録画停止指示でない場合は、他の処理を行って再びステップＳ１０４へ戻り、録画停止指示であった場合にはステップＳ１０６へ進む。ここで、録画停止指示であった場合には、図５に示すユーザの優先度（優先順位）を確認する（ステップＳ１０６）。そして、録画予約したユーザの優先度と録画停止指示を出したユーザの優先度とを比較して、停止指示を出したユーザの優先度が録画予約したユーザの優先度が高いかを判断する（ステップＳ１０７）。ここで、録画予約したユーザよりも高いユーザからの録画停止指示であると判断した場合にはステップＳ１０８に処理は進み、録画予約したユーザよりも低いユーザからの録画停止指示であると判断した場合にはステップＳ１０９に処理は進む。
【００２１】
ステップＳ１０７で、録画予約したユーザよりも高いユーザからの録画停止指示であると判断した場合には、録画停止確認用のメッセージＢをモニタ１０２に表示する（ステップＳ１０８）。メッセージＢが表示されている状態で、ユーザから停止確認の指示（「はい」を選択）があったかを判断し（ステップＳ１０９）、ここで停止確認指示があった場合には録画処理を停止して（ステップＳ１１０）、その後録画を停止した旨のメッセージＣをモニタ１０２に表示する（ステップＳ１１１）。この際、自装置で停止指示確認があった場合にはメッセージＣ１を表示し、自装置以外の装置で停止確認指示があった場合にはメッセージＣ２を表示する。また、ステップＳ１０９において、停止確認指示でない場合、続いて停止をしない旨の「いいえ」が選択されたかを判断する（ステップＳ１１２）。ここで、録画を停止しない旨の選択をした場合には、録画停止の指示は実行されずに処理は、ステップＳ１０４へ進む。
【００２２】
一方、ステップＳ１１２で何も指示が無い場合には、メッセージＢが表示されてからの時間が予め決められた一定時間が経過したかを確認する（ステップＳ１１３）。ここで、一定時間が経過した場合には、ユーザによる録画停止の操作意思がなくなったものと自動的に判断し再び録画中を示すメッセージＡをモニタ１０２に表示する（ステップＳ１１３）。一方、ステップ１１３において一定時間内に「いいえ」が押下された場合にはユーザが停止指示を解除する旨を示したことになり処理はステップＳ１１５へ進む。ここでは、一定時間無操作が続くと自動的に録画停止指示が解除されることになり、ユーザの操作負担が軽減される。そして、録画終了時刻になったかを判定し（ステップＳ１１５）、終了時刻に達していた場合には録画処理を終了し、まだ録画終了時刻に達していない場合にはステップＳ１０４に進む。
【００２３】
ステップＳ１０７において、録画予約したユーザよりも低いユーザからの録画停止指示であると判断した場合は、録画停止ができない旨のメッセージＤをモニタ１０２に表示する（ステップＳ１１６）。そして処理は、ステップＳ１１３に移る。
【００２４】
続いて、録画停止指示を行った場合のユーザに対する確認機能の具体的な内容について説明する。ここでは、図５に示したようなユーザの優先順位が設定されているものとし、また、ユーザＡがＡＶステーション１００を使用し、ユーザＢが情報処理装置２００Ａをい使用し、ユーザＣが情報処理装置２００Ｂを使用した場合を想定して説明する。この際、ユーザＡ、Ｂ、Ｃの三者間で無線ネットワークが形成されている。さらに、各ユーザは、互いの操作状況を確認するためのモニタ機能を動作させている。
【００２５】
まず、図４（ａ）に示すように、ユーザＡがＡＶステーション１００を利用して録画予約の設定を行い、更に録画途中でユーザＢが情報処理装置２００Ａから録画停止指示の操作を行った場合について説明する。
【００２６】
初め録画が開始された際には、図６（ａ）に示すように各ユーザの表示画面にはユーザＡの設定による録画処理が行われている旨を示す「録画中です。（設定：ユーザＡ）」と言う内容（メッセージＡ）を各装置の表示装置に表示する。
【００２７】
続いて、ユーザＢから録画を停止する旨の指示操作がなされた場合には、ユーザＢ以外の表示画面には、引続き録画中を示すメッセージＡが表示されるが、ユーザＢの表示画面には、録画停止を確認する旨を示す「録画中です。録画を停止しますか？「はい」「いいえ」」と言う内容（メッセージＢ）を表示する。ここで、「はい」「いいえ」の部分にあたる内容は、選択的に指定できるものとする。
【００２８】
ここで、ユーザＢがメッセージＢが表示されてから一定時間何も操作を行わないと、ユーザＢの表示画面についても、録画停止指示が解除されたものとして、録画中を示すメッセージＡを表示する。
【００２９】
また、ユーザＢがメッセージＢが表示されている状態で、録画停止の確認を示す「はい」を選択指示した場合には、各装置の表示装置に対して録画が停止した旨のメッセージＣが表示される。ユーザＢの表示装置には「録画を停止しました。」とのメッセージＣ１が表示され、ユーザＡ、Ｃの表示装置にはユーザＢの録画停止指示により録画処理が停止されたことを示す「ユーザＢにより録画が停止されました。」とのメッセージＣ２が表示される。
【００３０】
このように、録画予約したユーザよりも優先度の高いユーザが録画停止の指示をした場合には、録画予約により開始された録画処理を途中で解除できると共に、その状況が他のユーザに対しても通知できる。この際、ユーザＢが停止指示を出した際に、他のユーザに対して録画停止操作が誰から行われているかを表示するようにしても良い。
【００３１】
次に、図４（ｂ）に示すように、ユーザＡがＡＶステーション１００を利用して録画予約の設定を行い、更に録画途中でユーザＣが情報処理装置２００Ｂから録画停止指示の操作を行った場合について説明する。
【００３２】
初め録画が開始された際には、図６（ａ）に示すように各ユーザの表示画面にはユーザＡの設定による録画処理が行われている旨を示す「録画中です。（設定：ユーザＡ）」と言う内容（メッセージＡ）を各装置の表示装置に表示する。
【００３３】
続いて、ユーザＣから録画を停止する旨の指示操作がなされた場合には、ユーザＣ以外の表示画面には、引続き録画中を示すメッセージＡが表示されるが、ユーザＣの表示画面には、この場合録画処理の停止指示が優先度の関係で行うことができないので、その旨を示す「録画の停止はできません。」との内容のメッセージＤが表示される。
【００３４】
その後、一定時間経つとユーザＣの表示画面には録画できない旨のメッセージＤからメッセージＡに表示が切り替わる。
このように、録画予約したユーザよりも優先度の低いユーザが録画停止の指示をした場合には、録画が解除できない旨のメッセージが表示され、ユーザは操作できないことを確認することができる。
【００３５】
以上のように、複数の装置が接続された状態においても、予め決められた処理に対する優先順位に従い、ユーザ操作の実行可否を判断できると共に、それに応じた適切な操作の確認処理が行えるので、装置を取り扱うユーザにとっても状況を簡単に把握することができる。
【００３６】
【発明の効果】
本発明によれば、複数の装置が接続された環境においても、ユーザ間に予め取り決められた優先順位に従い、ユーザの操作状況を容易に把握することができるようになった。
【図面の簡単な説明】
【図１】記録再生装置をネットワーク接続した例を示す図。
【図２】ＡＶステーションの詳細構成を示す図。
【図３】情報処理装置の詳細構成を示す図。
【図４】録画予約を解除（停止）指示の概念を説明するための図。
【図５】ユーザ間の優先順位を示す図。
【図６】ユーザに表示するメッセージ内容を示す図。
【図７】予約録画中の停止指示操作に対する制御フローを示す図。
【符号の説明】
１０　録画再生制御部
１１　チューナー
１２、２２　データ記憶部
１３　出力端子
１４　タイマー
１５　リモコン制御部
１６、２１　データ送受信部
２０　制御部
２３　表示部
２４　入力部
１００　ＡＶステーション
１０１　アンテナ
１０２　モニタ
１０３　リモコン
２００　情報処理装置
【図１】
2004054979.tif 000003
【図２】
2004054979.tif 000004
【図３】
2004054979.tif 000005
【図４】
2004054979.tif 000006
【図５】
2004054979.tif 000007
【図６】
2004054979.tif 000008
【図７】
2004054979.tif 000009